(57)【特許請求の範囲】
【請求項１】
箱体と、
前記箱体に多段積みされた電池ユニットと、
前記電池ユニットを直列接続した直流回路に接続された開閉器と、
基部と、この基部の上部に連接されるハンドル当接部と、前記基部の中間部から下部に向かって複数段連接される電池当接部と、から構成されるインターロック機構とを備え、
前記開閉器が閉路のときは、前記開閉器の操作ハンドルに前記ハンドル当接部が当接することにより前記電池ユニットの引出方向となる底面に前記電池当接部が当接し、前記電池ユニットの移動を阻止する一方、
前記開閉器が開路のときは、前記開閉器の操作ハンドルと前記ハンドル当接部の当接が外れることにより前記電池ユニットの引出方向となる前記底面から前記電池当接部が外れ、前記電池ユニットの移動を可能にする
ことを特徴とする電池ユニット盤のインターロック装置。
【発明の詳細な説明】
【技術分野】
【０００１】
本発明の実施形態は、電池ユニットを収納し、直流回路を開閉する開閉器を備えた電池ユニット盤のインターロック装置に関する。
【背景技術】
【０００２】
従来、複数個の電池セルを直並列接続した電池ユニット（電池モジュール）を収納した電池ユニット盤には、直流回路を開閉する開閉器が接続されている（例えば、特許文献１参照）。
【０００３】
このような電池ユニット盤を点検するときには、正面板や側板などを取外し、多段積みされた電池ユニットの変色や損傷などが検査される。そして、交換が必要となったものにおいては、開閉器を開路し、接続導体から当該電池ユニットを取外し、交換が行われる。しかしながら、開閉器を開路せず、取外す可能性がある。このため、開閉器と電池ユニットとの間で簡素な構成のインターロック装置が望まれていた。
【先行技術文献】
【特許文献】
【０００４】
【特許文献１】特開２００９−１０４８０８号公報
【発明の概要】
【発明が解決しようとする課題】
【０００５】
本発明が解決しようとする課題は、開閉器が開路されたときに、多段積みされた所定の電池ユニットを取外すことのできる電池ユニット盤のインターロック装置を提供することにある。
【課題を解決するための手段】
【０００６】
上記課題を解決するために、実施形態の電池ユニット盤のインターロック装置は、箱体と、前記箱体に多段積みされた電池ユニットと、前記電池ユニットを直列接続した直流回路に接続された開閉器と、基部と、この基部の上部に連接されるハンドル当接部と、前記基部の中間部から下部に向かって複数段連接される電池当接部と、から構成されるインターロック機構とを備え、前記開閉器が閉路のときは、前記開閉器の操作ハンドルに前記ハンドル当接部が当接することにより前記電池ユニットの引出方向となる底面に前記電池当接部が当接し、前記電池ユニットの移動を阻止する一方、前記開閉器が開路のときは、前記開閉器の操作ハンドルと前記ハンドル当接部の当接が外れることにより前記電池ユニットの引出方向となる前記底面から前記電池当接部が外れ、前記電池ユニットの移動を可能にすることを特徴とする。
【図面の簡単な説明】
【０００７】
【図１】本発明の実施例１に係る電池ユニット盤の電気回路を示す図。
【図２】本発明の実施例１に係る電池ユニット盤のインターロック装置の構成を示す正面図。
【図３】本発明の実施例１に係る電池ユニット盤のインターロック装置の動作を説明する正面図。
【図４】本発明の実施例２に係る電池ユニット盤のインターロック装置の構成を示す要部正面図。
【図５】本発明の実施例３に係る電池ユニット盤のインターロック装置の構成を示す要部背面図。
【発明を実施するための形態】
【０００８】
以下、図面を参照して本発明の実施例を説明する。
【実施例１】
【０００９】
先ず、本発明の実施例１に係る電池ユニット盤のインターロック装置を図１〜図３を参照して説明する。図１は、本発明の実施例１に係る電池ユニット盤の電気回路を示す図、図２は、本発明の実施例１に係る電池ユニット盤のインターロック装置の構成を示す正面図、図３は、本発明の実施例１に係る電池ユニット盤のインターロック装置の動作を説明する正面図である。
【００１０】
図１に示すように、箱体１には、開閉器２と接続導体３で直列接続された複数の電池ユニット４が収納されている。開閉器２は、電池ユニット４による直流回路の出力側に接続され、外部回路との開閉を行う。電池ユニット４には、複数個の電池セルが直並列接続されている。
【００１１】
箱体１には、図２に示すように、上部に開閉器２が設けられている。開閉器２には、開閉操作を行う左右方向に移動自在の操作ハンドル５が設けられている。開閉器２の下方向には、電池ユニット４が上下方向に多段積みされ、側面に設けた一対のＬ字状の載置板６に載置されている。電池ユニット４は、紙面手前方向に引出せるようになっている。
【００１２】
箱体１の左側には、インターロック板７が設けられている。インターロック板７は、上下方向に配置され、ガイド８を上下方向に移動自在に移動する基部７ａと、基部７ａの上部に連接され、操作ハンドル５に当接する水平配置のハンドル当接部７ｂと、基部７ａの中間部から下部に向かって複数段連接され、電池ユニット４の底面に当接する電池当接部７ｃとで構成されている。基部７ａと箱体１の天井部間には、インターロック板７を上方向に移動させるように付勢されたばね９が設けられている。
【００１３】
次に、インターロック板７の動作を図３を参照して説明する。
【００１４】
図３に示すように、開閉器２を開路するため操作ハンドル５を右方向に移動させると、操作ハンドル５がハンドル当接部７ｂから外れる。そして、インターロック板７を箱体１の固定部材に固定している図示しないロックピンを外すと、ばね９のバネ力で基部７ａを上方向に移動させることができる。同時に、電池当接部７ｃも上方向に移動し、電池ユニット４底面から外れる。
【００１５】
これにより、インターロック板７は、操作ハンドル５の位置によって移動が制限され、開閉器２を開路したとき、電池ユニット４の引出方向を阻止する電池当接部７ｃを開放することができる。このため、交換が必要となった電池ユニット４を取外し、新品を接続することができる。交換後には、インターロック板７を下方向に移動させ、前記ロックピンをセットし、操作ハンドル５を操作する。
【００１６】
ここで、インターロック板７を、開閉器２が開路のとき、電池ユニット４の移動を可能とし、開閉器２が閉路のとき、電池ユニット４の移動を不可とするインターロック機構と称する。
【００１７】
上記実施例１の電池ユニット盤のインターロック装置によれば、開閉器２の操作ハンドル５を開路位置にしたとき、移動できるインターロック板７を設けているので、直流回路を遮断した状態で、電池ユニット３を取外し、接続をすることができる。また、簡素な構成の機械的なインターロックとなる。
【００１８】
上記実施例１では、機械的なインターロックで電池ユニット４の移動を制限したが、開閉器２から給電を受けた表示装置や警報装置などで、開閉器２が閉路のとき、箱体１の正面板などを取外すと、点滅表示や警報音などの警報信号を発するようにすることができる。電源系は、開閉器２と連動するため、簡素な回路となる。
【実施例２】
【００１９】
次に、本発明の実施例２に係る電池ユニット盤のインターロック装置を図４を参照して説明する。図４は、本発明の実施例２に係る電池ユニット盤のインターロック装置の構成を示す要部正面図である。なお、この実施例２が実施例１と異なる点は、電気的なインターロックとしたことである。図４において、実施例１と同様の構成部分においては、同一符号を付し、その詳細な説明を省略する。
【００２０】
図４に示すように、ロック棒１０が左右方向に移動する電磁操作機構１１を設けている。電磁操作機構１１は、開閉器２から制御線１２で給電されている。これにより、開閉器２が閉路のときには、電磁操作機構１１が動作してロック棒１０が電池ユニット４の底面に当接し、引出方向を阻止する。開閉器２を開路すると、電磁操作機構１１の電源が喪失して無励磁となり、ロック棒１０が後退し、電池ユニット２を取出すことができる。
【００２１】
ここで、ロック棒１０を、開閉器２が開路のとき、電池ユニット４の移動を可能とし、閉路のとき、移動を不可とするインターロック機構と称する。
【００２２】
上記実施例２の電池ユニット盤のインターロック装置によれば、電気的なインターロックにおいても、実施例１による効果を得ることができる。
【実施例３】
【００２３】
次に、本発明の実施例３に係る電池ユニット盤のインターロック装置を図５を参照して説明する。図５は、本発明の実施例３に係る電池ユニット盤のインターロック装置の構成を示す要部背面図である。なお、この実施例３が実施例２と異なる点は、電池ユニットの端子にも電気的なインターロックを設けたことである。図５において、実施例２と同様の構成部分においては、同一符号を付し、その詳細な説明を省略する。
【００２４】
図５に示すように、箱体１の背面側には、電池ユニット４の端子１３が設けられている。また、上下方向に移動する遮蔽板１４を有する電磁操作機構１１を設けている。端子１３は、開閉器２が閉路のとき、電磁操作機構１１が動作して遮蔽板１４で覆われるようになっている。開路すると、電磁操作機構１１が無励磁となり、端子１３が開放される。
【００２５】
上記実施例３の電池ユニット盤のインターロック装置によれば、実施例２による効果のほかに、電池ユニット４の端子１３側も開閉器２が開路したとき、接続作業をすることができるようになる。
【００２６】
以上述べたような実施形態によれば、簡素な構成で、開閉器が開路されたとき、多段積みされた所定の電池ユニットを取外し、接続することができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１  箱体
２  開閉器
３  接続導体
４  電池ユニット
５  操作ハンドル
６  載置板
７  インターロック板
７ａ  基部
７ｂ  ハンドル当接部
７ｃ  電池当接部
８  ガイド
９  ばね
１０ロック棒
１１  電磁操作機構
１２  制御線
１３  端子
１４  遮蔽板
【図１】
0006118032.tif 000002
【図２】
0006118032.tif 000003
【図３】
0006118032.tif 000004
【図４】
0006118032.tif 000005
【図５】
0006118032.tif 000006